(57)【要約】      （修正有）【課題】組み合わせはかり用のホッパーを提供する。【解決手段】ホッパー本体１と、モータ２と、攪拌アセンブリー３とを含む。モータ２は、ホッパー本体１の外側に取り付けられる。攪拌アセンブリー３は、攪拌棒と２枚の連結板とを含む。攪拌棒は、湾曲したスパイラル形状である。攪拌棒の両端は、それぞれ２枚の連結板に連結される。当該２枚の連結板は、それぞれホッパー本体１内の両端に取り付けられ、且つそのうちの１枚の連結板が、モータ２の動力出力軸に連結される。ホッパー本体１内の品物が、下方の送りねじに効果的に落とされ、品物によるブリッジ現象の発生が防止され、組み合わせはかりの計量速度と精度が保証される。【選択図】図１
0003205382.tif 000002
【実用新案登録請求の範囲】
【請求項１】
ホッパー本体と、モータと、攪拌アセンブリーとを含み、
前記モータは、前記ホッパー本体の外側に取り付けられ、
前記攪拌アセンブリーは、攪拌棒と２枚の連結板とを含み、
前記攪拌棒は、湾曲したスパイラル形状であり、
前記攪拌棒の両端は、それぞれ２枚の連結板に連結され、
前記２枚の連結板は、それぞれ前記ホッパー本体内の両端に取り付けられ、且つそのうちの１枚の連結板が前記モータの動力出力軸に連結される、
ことを特徴とする組み合わせはかり用のホッパー。
【請求項２】
前記攪拌棒は、ピッチが２０ｍｍ〜２００ｍｍである、
ことを特徴とする請求項１に記載の組み合わせはかり用のホッパー。
【請求項３】
前記攪拌棒は、断面が円形である、
ことを特徴とする請求項１に記載の組み合わせはかり用のホッパー。
【請求項４】
前記攪拌棒は、両端がそれぞれ溶接により前記２枚の連結板に連結される、
ことを特徴とする請求項１に記載の組み合わせはかり用のホッパー。
【請求項５】
カップリングと連結軸とを更に含み、
前記カップリングは、一端が前記モータの動力出力軸に連結され、他端が前記連結軸を介して前記２枚の連結板のうちの１枚の連結板に連結される、
ことを特徴とする請求項１に記載の組み合わせはかり用のホッパー。
【請求項６】
前記ホッパー本体は、底部が半円弧形状である、
ことを特徴とする請求項１に記載の組み合わせはかり用のホッパー。
【考案の詳細な説明】
【技術分野】
【０００１】
本考案は、組み合わせはかりに係り、特に、組み合わせはかり用のホッパーに関する。
【背景技術】
【０００２】
ホッパーは、組み合わせはかりにおける重要な構成部分である。従来のホッパーは、主にキャビネット型のフレーム状のホッパー本体から構成される。当該ホッパーは、その持つべき機能を実現できるが、組み合わせはかりを一定時間作動させると、ホッパー本体内の品物の重力と、粘力との関係により、品物のブリッジ現象が生じることがある。更に、品物が、ホッパー本体の下方の送りねじに効果的に充填されず、最終的に組み合わせはかり全体の計量速度と精度に影響を与える。             
【考案の概要】
【考案が解決しようとする課題】
【０００３】
本考案の目的は、以上の従来技術に存在する不備を克服するために、構造が簡単且つ合理的であり、品物によるブリッジを防止する、組み合わせはかり用のホッパーを提供することである。
【課題を解決するための手段】
【０００４】
本考案の目的は、以下の技術により実現される。本組み合わせはかり用のホッパーは、ホッパー本体と、モータと、攪拌アセンブリーとを含む。前記モータは、前記ホッパー本体の外側に取り付けられる。前記攪拌アセンブリーは、攪拌棒と２枚の連結板とを含む。前記攪拌棒は、湾曲したスパイラル形状である。前記攪拌棒の両端は、それぞれ２枚の連結板に連結される。前記２枚の連結板は、それぞれ前記ホッパー本体内の両端に取り付けられ、且つそのうちの１枚の連結板が前記モータの動力出力軸に連結される。
【０００５】
前記攪拌棒は、ピッチが２０ｍｍ〜２００ｍｍであることが好ましい。
【０００６】
前記攪拌棒は、断面が円形であることが好ましい。
【０００７】
前記攪拌棒は、両端がそれぞれ溶接により前記２枚の連結板に連結されることが好ましい。
【０００８】
前記組み合わせはかり用のホッパーは、カップリングと連結軸を更に含み、前記カップリングは、一端が前記モータの動力出力軸に連結され、他端が前記連結軸を介して前記２枚の連結板のうちの１枚の連結板に連結される、ことが好ましい。
【０００９】
前記ホッパー本体は、底部が半円弧形状であることが好ましい。
【考案の効果】
【００１０】
本考案は、従来技術に対して、以下の利点を有する。
１）本組み合わせはかり用のホッパーは、スパイラル形状の攪拌棒と、連結板とから構成される攪拌アセンブリーを、ホッパー本体に増設した。従って、組み合わせはかりの作動中に、下方の送りねじに攪拌棒により、ホッパー本体内の品物が、効果的に落とされ、品物によるブリッジ現象の発生を防止し、組み合わせはかりの計量速度と精度を保証することができる。
２）本組み合わせはかり用のホッパーに用いられる攪拌棒は、湾曲したスパイラル形状であるため、当該攪拌棒の回動中に品物を損傷することがない。
３）本組み合わせはかり用のホッパーにおける攪拌アセンブリーは、カップリングを介してモータの動力出力軸に連結される。当該別体式の設計により、ホッパー本体を迅速に取り外すことができる利点があり、ホッパー本体の洗浄に有効である。
４）本組み合わせはかり用のホッパーにおけるホッパー本体の底部は、円弧状であるため、ホッパー本体の底部が攪拌棒の外形に整合し、品物によるブリッジ現象がおこらないことを更に保証する。
【図面の簡単な説明】
【００１１】
【図１】本考案の組み合わせはかり用のホッパーが、組み合わせはかり本体に装着されたときの構造模式図である。
【図２】本考案の組み合わせはかり用のホッパーが、組み合わせはかり本体に装着されたときの断面図である。
【図３】図２におけるＡ箇所の部分拡大図である。
【図４】本考案の組み合わせはかり用のホッパーが、組み合わせはかり本体に装着されたときの側面図である。
【考案を実施するための形態】
【００１２】
以下、図面と実施例とともに、本考案を更に説明する。
【００１３】
図１〜図３に示す組み合わせはかり用のホッパーは、ホッパー本体１と、モータ２と、攪拌アセンブリー３とを含む。前記モータ２は、ホッパー本体１の外側に取り付けられる。前記攪拌アセンブリー３は、攪拌棒３１と、２枚の連結板３２とを含む。前記攪拌棒３１は、湾曲したスパイラル形状である。前記攪拌棒３１の両端は、それぞれ２枚の連結板３２に連結される。当該２枚の連結板３２は、それぞれホッパー本体１内の両端に取り付けられる。そのうちの１枚の連結板３２が、モータ２の動力出力軸に連結される。具体的には、図１に示すように、モータ２は、固定具４を介して組み合わせはかりの本体５に取り付けられ、且つホッパー本体１の外側に配置される。２枚の連結板３２は、軸受ブッシュ６を介してホッパー本体１の両端に取り付けられる。実際の作動中に、モータが、攪拌棒を正逆転に駆動させる。一方向の回動ではないため、ホッパー内の品物は、より効果的に両側へ均一に分散される。品物を一方向へ押し付けることが防止され、更に、品物が堆積してブリッジになることが避けられる。また、攪拌モータの回転速度は、調整可能であり、異なる品物と計量目標値に応じて調節される。対応する計量目標値が大きいほど、攪拌モータの回転速度が速くなる。ホッパーの底部の品物排出口の幅は、品物の種類と計量目標値に応じて選定される。計量目標値が大きいほど、対応するホッパーの底部の品物排出口の幅は、広くなる。
【００１４】
前記攪拌棒３１は、ピッチが２０ｍｍ〜２００ｍｍである。攪拌棒３１のピッチは、品物の種類に応じて決められる。適切なピッチを選択することにより、品物が攪拌棒３１で損傷されないことが更に保証され、品物の品質が保証される。本実施例において、攪拌棒３１のピッチは、１００ｍｍである。
【００１５】
前記攪拌棒３１は、断面が円形である。断面を円形にすることにより、攪拌棒３１に鋭い稜がなく、攪拌棒３１が品物を攪拌する際に、品物が損傷されることを回避する。
【００１６】
前記攪拌棒３１は、溶接により、両端のそれぞれが、２枚の連結板３２に連結される。溶接の連結方式により、攪拌棒３１と連結板３２との連結の、安定性が良くなることが保証され、作動時の信頼性が向上する。
【００１７】
前記組み合わせはかり用のホッパーは、カップリング７と連結軸８を更に含む。前記カップリング７は、一端がモータ２の動力出力軸に連結され、他端が連結軸８を介して、２枚の連結板のうちの１枚の連結板３２に連結される。カップリング７により、動力の伝達が良好に安定することが保証される。さらにモータ２と攪拌アセンブリー３とを離間させるのに有効であり、ホッパー本体１の取り外しをするのに有効であり、ホッパー本体１の洗浄と保守をするのに有効である。
【００１８】
図４に示すように、前記ホッパー本体１の底部は、半円弧形状である。半円弧形状の底部により、スパイラル形状の攪拌棒３１の外郭が、ホッパー本体１の底部に整合する。従って、品物の落下に有効であり、ホッパー本体１内の品物を、攪拌棒３１により、下方の送りねじへ効果的に落とすことが更に保証される。
【００１９】
以上の具体的な実施形態は、本考案の好ましい実施例であり、本考案を限定するためのものではない。本考案の技術から背離せずに成しえる、あらゆる変更、あるいは同等な効果と差し替えることは、いずれも本考案の保護範囲の内に含まれる。
【図１】
0003205382.tif 000003
【図２】
0003205382.tif 000004
【図３】
0003205382.tif 000005
【図４】
0003205382.tif 000006